(57)【特許請求の範囲】
【請求項１】
１又は複数の表示レイヤの画像データを記憶手段に記憶するとともに、該記憶手段に記憶された前記画像データを用いて表示画像を作成して、その表示画像を表示画面に表示する表示制御装置において、
前記記憶手段に記憶された１又は複数の表示レイヤの画像データのうち、前記表示画面に表示された表示画像分の画像データをコピーして記憶する表示画像分データ記憶手段と、
前記表示画像分データ記憶手段に記憶された表示画像分の画像データに基づいて、前記表示画面に表示画像を表示する表示手段と、
前記記憶手段に記憶された画像データのうち、前記表示画像分データ記憶手段に記憶された表示画像分の画像データ以外の画像データの一部又は全体を消去する消去手段と、
を備えることを特徴とする表示制御装置。
【請求項２】
複数の表示レイヤの画像データを記憶手段に記憶するとともに、該記憶手段に記憶された前記画像データを用いて表示画像を作成して、その表示画像を表示画面に表示する表示制御装置において、
前記記憶手段に記憶された複数の表示レイヤの画像データのうち、前記表示画面に表示された表示画像分に対応する所定の表示レイヤの画像データをコピーして記憶する表示画像分データ記憶手段と、
前記表示画像分データ記憶手段に記憶された所定の表示レイヤの表示画像分の画像データと、他の表示レイヤの表示画像分に相当する画像データと基づいて、前記表示画面に表示画像を表示する表示手段と、
前記記憶手段に記憶された画像データのうち、前記表示手段による画像表示に必要な表示画像分の画像データ以外の画像データの一部又は全体を消去する消去手段と、
を備えることを特徴とする表示制御装置。
【請求項３】
前記記憶手段の記憶領域のうち、前記消去手段により消去した記憶領域を、次に表示する表示画像用の画像データの記憶領域として用いることを特徴とする前記請求項１又は２に記載の表示制御装置。
【請求項４】
現在表示されている表示画像から、次に表示する表示画像に切り換える指示がなされた場合に、前記表示画像分データ記憶手段、表示手段、及び消去手段による処理を行うことを特徴とする前記請求項１〜３に記載の表示制御装置。
【請求項５】
前記表示画面に表示された表示画像は、実際に表示されている画像領域よりも広い画像領域を有しているスクロール可能な画像の一部であることを特徴とする前記請求項１〜４のいずれかに記載の表示制御装置。
【請求項６】
前記各表示レイヤ及び表示画像の色彩を指示する色彩情報が、各色に対応して一定の規則に従って決められた情報であることを特徴とする前記請求項１〜５のいずれかに記載の表示制御装置。
【請求項７】
前記各表示レイヤ及び表示画像の色彩を指示する色彩情報が、同じ規則に従って決められた情報であることを特徴とする前記請求項６に記載の表示制御装置。
【請求項８】
前記各表示レイヤの間、及び／又は各表示レイヤと表示画像との間にて、その表示画像の色彩を指示する色彩情報が、異なる規則に従って決められていることを特徴とする前記請求項６に記載の表示制御装置。
【発明の詳細な説明】
【０００１】
【発明の属する技術分野】
本発明は、例えばナビゲーションシステムのディスプレイに地図等を表示する際に、その表示画面の制御を行う表示制御装置に関するものである。
【０００２】
【従来の技術】
従来より、例えばナビゲーションシステムにおいては、ＰＣ（パーソナルコンピュータ）やゲーム機の様な高価なＣＰＵを用いて全ての表示内容を再描画するのではなく、コスト面を考慮して、非力ではあるが安価なＣＰＵを用いて画像をディスプレイに表示していた。
【０００３】
そのため、従来では、表示画像を切り換える場合には、通常、一つのＶＲＡＭ（グラフィックスを表示する画像データを記憶するＲＡＭ）に、複数の表示レイヤ（重ね合わされる各画面の画像データの層）を持ち、書き換えの必要な表示レイヤのみを書き換える方法が採用されていた。
【０００４】
または、別ＶＲＡＭ（別の記憶領域）に記憶した表示画像を差し替えることにより、表示画像の切り換えを行っていた。
具体的には、ＶＲＡＭのある記憶領域には、現在表示されて表画像を記憶するとともに、他の記憶領域には、次に表示する裏画像を記憶しておき、この表画像と裏画像を切り換えることで、表示画像の切り換えを行っていた。
【０００５】
【発明が解決しようとする課題】
しかしながら、この様な表画像と裏画像の切り換えを行う従来技術の場合には、同じ時期に表画像と裏画像を記憶するので、非常に多くのＶＲＡＭの記憶領域（多くのメモリ容量）を必要とし、ナビゲーションシステムのハードウエアがコスト高になってしまうという問題がある。
【０００６】
また、地図表示やブラウザ表示の様に、表示内容がスムーズにスクロールすることが、例えばナビゲーションシステムの商品性に大きく関与している場合には、１表示レイヤの表示であっても、表示画面の３〜４倍サイズのＶＲＡＭを必要としているため、ＶＲＡＭの記憶領域が多く必要であるという問題がある。
【０００７】
更に、最近では、ナビゲーションシステムにおけるディスプレイサイズは、ますます高密度化（ＶＲＡＭから見れば大画面化）しているため、１画面サイズのＶＲＡＭが大きくなっており、その点からも、大きなＶＲＡＭが必要になり、コストがアップするという問題があった。
【０００８】
本発明は、前記課題を解決するためになされたものであり、画像データを記憶するメモリ容量を抑制することができる表示制御装置を提供することを目的とする。
【０００９】
【課題を解決するための手段及び発明の効果】
（１）請求項１の発明は、１又は複数の表示レイヤの画像データを記憶手段（例えばＶＲＡＭ）に記憶し、その表示レイヤの画像データを用いて表示画像を作成して表示画面に表示する表示制御装置に関するものである。
【００１０】
本発明では、記憶手段に記憶された１又は複数の表示レイヤの画像データのうち、表示画面に表示された表示画像分の画像データをコピーして記憶する。即ち、表示画像分の画像データと同様な画像データを他の記憶領域に記憶する（以下、このコピーした画像データをコピーデータと称す）。そして、一旦コピーデータを記憶した後は、元の画像データを用いるのはなく、そのコピーデータである表示画像分の画像データを用いて、表示画面に表示画像を表示する。この場合、コピーデータを用いて同様な画像表示ができるので、記憶手段に記憶された画像データのうち、コピーデータ以外の画像データの一部又は全体を消去することができる。
【００１１】
つまり、本発明では、表示画面分の画像データのコピーデータを記憶し、このコピーデータを用いて画像表示を行うとともに、コピーデータ以外の画像データを削除することができるので、記憶手段の記憶領域を有効に利用することができる。
【００１２】
特に、表画像から裏画像に切り換える場合には、同時期に表画像と裏画像の画像データを例えば同じＶＲＡＭに記憶する必要があるので、多くの記憶領域を必要とするが、即ち大きなメモリ容量の例えばＶＲＡＭが必要であるが、本発明では、表画像を表示する画像データとして、少ない画像データであるコピーデータを用い、それ以外の画像データを削除することができるので、画面の切り換え時に必要とする記憶領域を低減することができる。よって、少ないメモリ容量の例えばＶＲＡＭで済むので、コストを低減できるという効果を奏する。
【００１３】
また、近年では、例えばナビゲーションシステムにおけるディスプレイサイズが高密度化しており、そのため、１画面サイズの例えばＶＲＡＭが大きくなっているが、本発明では、できる限りメモリ容量を抑制できるので、その点からも、コスト低減に寄与するという利点がある。
【００１４】
尚、表示レイヤとは、表示画面に表示する所定の表示画像を作成する場合に、部分部分の画像のパーツを記憶している階層を示す概念であり、例えば各表示レイヤの画像を、積層方向に重ね合わせる（上書きするように合成する）ことにより、１つの表示画像を形成することができる。
【００１５】
（２）請求項２の発明では、複数の表示レイヤの画像データを用いて表示画像を作成する。
ここでは、表示画像分データ記憶手段は、所定の表示レイヤの表示画面に相当する画像データをコピーし、そのコピーデータを記憶する。
【００１６】
つまり、前記請求項１では、表示されている表示画像の画像データそのものをコピーしたが、本発明では、例えば後述する実施例２に示す様に、ある表示レイヤ（例えばベースとなるスクロールする地図画面やブラウザ画面）の画像データのうち、表示画面に対応する領域の画像データをコピーする。
【００１７】
この様に、ある表示レイヤの画像データのみをコピーした場合には、そのコピーデータのみでは、完全な表示画像の表示ができないので、コピーデータの表示レイヤとは異なる表示レイヤの画像データ（例えばカーソルの画像データ）を合成して表示画像を作成し、その画像表示を行う。
【００１８】
これにより、前記請求項１と同様に、メモリの有効利用を図ることができる。
尚、コピーする画像データは、表示画像そのものではないので、メモリの有効利用は前記請求項１よりは劣るかも知れないが、十分にメモリの有効利用等の効果はある。
【００１９】
（３）請求項３の発明では、記憶手段の記憶領域のうち、消去手段により消去した記憶領域を、次に表示する表示画像用の画像データの記憶領域として用いる。
つまり、現在の表示画像（表画像）を表示するためのコピーデータ以外の画像データを消去した場合には、記憶領域に十分な空きが生ずるので、その空き領域に、次の表示画像用の（即ち裏画像用の）画像データを記憶するのである。
【００２０】
これにより、メモリの有効利用ができるので、少ないメモリ容量のＶＲＡＭ等であっても、十分にスムーズな画面の切り換えを実現できる。
（４）請求項４では、現在表示されている表示画像（表画像）から、次に表示する表示画像（裏画像）に切り換える指示がなされた場合に、表示画像分データ記憶手段、表示手段、及び消去手段による処理を行う。
【００２１】
本発明は、請求項１又は２の発明の処理を行うタイミングを例示したものであり、例えば地図画面からメニュー画面などの他の画面に切り換える切換スイッチが操作された場合には、上述した各手段による処理を行う。
特に、現在の画面が、例えば地図画面やブラウザ画面のようなスクロール画面であっても、一旦次の画面に切り換えるための操作がされた場合には、現在の画面のスクロールは不要であるので、現在の表示画面をコピーデータによる固定画像で表示することができる。
【００２２】
（５）請求項５の発明は、表示画面に表示された表示画像を例示したものである。
ここでは、表示画像は、実際に表示されている画像領域よりも広い画像領域を有しているスクロール可能な画像（スクロール画面を構成するスクロール画像）の一部である。
【００２３】
つまり、スクロール画面による表示を行う場合には、表示画面分より広い画像データを記憶している必要があるが、上述した様に、コピーデータを用いて画像表示をすることにより、不要な画像データをカットすることができるので、メモリの有効利用の効果は大きなものとなる。
【００２４】
（６）請求項６の発明では、各表示レイヤ及び表示画像の色彩を指示する色彩情報が、各色に対応して一定の規則に従って決められた情報である。
例えば予め色彩に対応して設定したパレット番号により、特定の色彩を指定することができる。従って、この場合には、画像データとしては、ドットの位置を示すデータと、ドットの色彩を示すパレット番号とが挙げられる。
【００２５】
（７）請求項７の発明では、前記各表示レイヤ及び表示画像の色彩を指示する色彩情報が、同じ規則に従って決められた情報である。
例えば各表示レイヤ及び表示画像のドットの色彩は、同じ例えば２５６色のパレット番号にて示すことができる。
【００２６】
（８）請求項８の発明では、各表示レイヤの間、及び／又は各表示レイヤと表示画像との間にて、その表示画像の色彩を指示する色彩情報が異なる規則に従って決められている。
例えばある表示レイヤでは、そのドットの色彩は前記パレット番号で示され、他の表示レイヤでは、ドットの色彩はＲＧＢの記号により示される様に、異なる色彩の規則が混在する場合には、表示画像の画像データを同じ規則のデータ（例えばＲＧＢのデータ）に統一して記憶する。
【００２７】
これにより、各種の画像データを統一して扱うことができるので、以後の処理が容易になる。
【００２８】
【発明の実施の形態】
以下に、本発明の表示制御装置の実施の形態の例（実施例）を説明する。
（実施例１）
ａ）本実施例の基本的なシステム構成を図１を用いて説明する。
【００２９】
本実施例の表示制御装置は、自動車のナビゲーションシステムに用いられるものであり、表示画面の切り換えを指示する入力装置（切換スイッチ）１と、前記切換スイッチ１からの信号に基づいて表示画像の切り換え等の処理を行う電子制御装置（ＥＣＵ）３と、ＥＣＵ３からの信号を受けて表示画像（地図画像等）を表示する出力装置（ディスプレイ）５とを備えている。
【００３０】
前記ＥＣＵ３は、各種の画像処理の演算等を行うＣＰＵ７と、予め決められた規則やデータを記憶するＲＯＭ９と、表示画像の画像データ（グラフックスデータ）を記憶するＶＲＡＭ１１と、ＶＲＡＭ１１に記憶した画像データに基づいて前記ディスプレイ５に出力する画像信号を作成して表示を行うハードウエア（表示コントローラ）である描画・表示部１３などを備えている。
【００３１】
ｂ）次に、本実施例の表示制御装置において描画を行う場合の基本的な処理を説明する。
ディスプレイ５に表示される表示画像は、例えば６４０×４８０のドット（点）により構成されており、各ドットの色彩は、下記表１に示す様な０〜２５５のパレット番号により指定される。従って、この場合は、２５６色の表現が可能である。
【００３２】
【表１】
0004534328.tif 000002
【００３３】
例えば、パレット番号が０の場合には「赤色」、パレット番号が１００の場合には「緑色」の様に、パレット番号と色彩との関係が予め決められており、各ドットの色彩を示すパレット番号は、その表示するドットの位置とともに、画像データとして、ＶＲＡＭ１１に記憶されている。
【００３４】
従って、描画・表示部１３により、ディスプレイ５に表示画像を表示する場合には、ＶＲＡＭ１１に記憶した各ドットの位置とそのドットにおけるパレット番号を読み出し、ディスプレイ５の所定の位置にて所定の色彩を表示するように、ディスプレイ５に対して制御信号を出力する。
【００３５】
これにより、ＶＲＡＭ１１に記憶された画像データ（ドットの位置とパレット番号）に基づいて、ディスプレイ５に表示画像を表示することができる。
ｃ）次に、本実施例の表示制御装置における処理の手順等を、図２〜図４に基づいて説明する。
【００３６】
本実施例では、図３（ａ）に示す様に、スクロール可能な１層（即ち１つの第１表示レイヤＨＬ１）の地図画像の一部を、表示画像として表示する場合を例に挙げる。
まず、図２のフローチャートに示す様に、ステップ１００にて、地図画像の一部を表示画面に表示する。
【００３７】
つまり、図４（ａ）に示す様に、ＶＲＡＭ１１の第１記憶領域Ｍ１には、第１表示レイヤＨＬ１の（地図画像全体の）画像データが記憶されている。
詳しくは、第１記憶領域Ｍ１のうち、第２記憶領域Ｍ２には、ディスプレイ５の表示画面分（図３（ａ）の斜線で示す領域）に相当する地図画像の画像データが記憶され、第３記憶領域Ｍ３には、表示画面に表示される地図画像の周囲の（表示されない）地図画像の画像データが記憶されている。
【００３８】
従って、ここでは、図３（ａ）に示す様に、第２記憶領域Ｍ２の画像データを用いて、表示画面分の地図画像のみが、ディスプレイ５の表示画面に表示される。
続くステップ１１０では、現在の地図画面から、例えば（スクロールする）ブラウザ画面に変更するための切換スイッチ１が押された否かを判定する。ここで肯定判断されるとステップ１２０に進み、一方否定判断されると一旦本処理を終了する。
【００３９】
ステップ１２０では、ＶＲＡＭ１１の第１記憶領域Ｍ１に記憶されている地図画像全体の画像データのうち、現在表示されている表示画像に該当する画像データ（第２記憶領域Ｍ２に記憶されている表示画像分の画像データ）を、ＶＲＡＭ１１の他の記憶領域（第４記憶領域Ｍ４）にコピーして記憶する。図３（ｂ）及び図４（ｂ）参照
続くステップ１３０では、第１記憶領域Ｍ１に記憶されている画像データを用いた画像表示から、第４記憶領域Ｍ４に記憶した画像データ（コピーデータ）を用いた画像表示に切り換える。
【００４０】
つまり、切換スイッチ１が押された後は、画像をスクロールする必要がないので、固定画像である第４記憶領域Ｍ４に記憶したコピーデータを用いて、固定画像を表示する。図３（ｃ）参照。
尚、データの値自体（ドットの位置及び色彩）は、切り換えた前後で変化するわけではないので、表示された画像自体は、切り換えても変化はない。
【００４１】
続くステップ１４０では、ＶＲＡＭ１１の記憶領域のうち、現在の画像表示のために使用している第４記憶領域Ｍ４以外の記憶領域（第１記憶領域Ｍ１）を開放し（クリアし）、他のデータを記憶できる様にする。図４（ｃ）参照。
続くステップ１５０では、切り換え後の画像である例えばブラウザ画像の画像データを、第５記憶領域Ｍ５及び第６記憶領域Ｍ６に記憶する。図４（ｄ）参照。
【００４２】
つまり、第５記憶領域Ｍ５には、スクロール可能な（ベースとなる）第１表示レイヤＨＬ１のブラウザ画像を表示する画像データが記憶され、第６記憶領域Ｍ６には、ベース画像に重ね合わされるタイトルなどを表示する固定画像の画像データが記憶される。また、上述した地図画像と同様に、表示画面に該当する画像データは第７記憶領域Ｍ７に記憶され、表示画面の周囲に該当する画像データは第８記憶領域Ｍ８に記憶されている。
【００４３】
続くステップ１６０では、切り換え後の画像である例えばブラウザ画像に切り換える（所定周期毎の）切換タイミングに到ったか否かを判定する。ここで肯定判断されるとステップ１７０に進み、一方否定判断されると一旦本処理を終了する。
【００４４】
ステップ１７０では、画面の切り換えタイミングであるので、次の画面である例えばブラウザ画像を表示する。
続くステップ１８０では、第４記憶領域Ｍ４のコピーデータを消去し、一旦本処理を終了する。図４（ｅ）参照。
【００４５】
ｄ）この様に、本実施例では、ディスプレイ５の表示画面に、スクロール可能な地図画像の一部を表示しているときに、切換スイッチ１が押された場合には、現在表示されている表示画像分のデータをコピーし、そのコピーデータに基づいて固定の画像を表示する。
【００４６】
これにより、固定画像の表示に必要なコピーデータ以外の記憶領域を開放できるので、メモリの有効利用を実現できる。
つまり、スムーズな画像の切り換えのためには、ＶＲＡＭ１１にて、現在の表示画像の画像データ以外に、次に表示する表示画像の画像データを記憶する必要があり、そのため、大きな記憶領域を必要とするが、本実施例の様に、不要な画像データを適宜カットすることにより、小さなメモリ容量のＶＲＡＭ１１であっても、スムーズな画面の切り換えが可能となる。
【００４７】
特に、地図表示やブラウザ表示の様に、表示内容がスクロールする場合には、１表示レイヤの表示であっても、表示画面の３〜４倍サイズのＶＲＡＭ１１を必要とするが、本実施例では、画面を切り換える際の記憶領域の有効利用ができるので、メモリ容量の小さなＶＲＡＭ１１を使用でき、コスト低減に寄与する。
【００４８】
（実施例２）
次に、実施例２について説明するが、前記実施例１と同様な箇所の説明は省略する。
ａ）本実施例は、画面の切り換えの際に、地図画像の一部をコピーするとともに、表示画像を作成する場合には、コピーした地図画像とカーソルを合成するものである。
【００４９】
ここでは、図６（ａ）に示す様に、スクロール可能な１層（即ち１つの第１表示レイヤＨＬ１）の地図画像上に、他の第２表示レイヤＨＬ２のカーソルを重ね合わせて（上書きにより合成して）表示する場合を例に挙げる。
尚、図６では、実線の枠内の図形が、ＶＲＡＭ１１に記憶された画像データに該当するものである。
【００５０】
ｂ）図５のフローチャートに示す様に、ステップ２００にて、地図画像の一部とカーソルとを合成して、表示画面に表示画像を表示する。
つまり、画像データとしては、図７（ａ）に示す様に、ＶＲＡＭ１１の第１記憶領域Ｍ１には、第１表示レイヤＨＬ１の（地図画像全体の）画像データが記憶されるとともに、第２記憶領域Ｍ２には、第２表示レイヤＨＬ２の（カーソルの）画像データが記憶されている。
【００５１】
詳しくは、第１記憶領域Ｍ１のうち、第３記憶領域Ｍ３には、ディスプレイ５の表示画面分（図５（ａ）の斜線で示す領域）に相当する地図画像の画像データが記憶され、第４記憶領域Ｍ４には、表示画面に表示される地図画像の周囲の（表示されない）地図画像の画像データが記憶されている。
【００５２】
従って、ここでは、図５（ａ）に示す様に、第２及び第３記憶領域Ｍ２、Ｍ３の画像データを用いて、表示画面分の地図画像の上にカーソルを上書きした表示画像が、ディスプレイ５の表示画面に表示される。
続くステップ２１０では、現在の地図画面から、例えば（スクロールする）ブラウザ画面に変更するための切換スイッチ１が押された否かを判定する。ここで肯定判断されるとステップ２２０に進み、一方否定判断されると一旦本処理を終了する。
【００５３】
ステップ２２０では、ＶＲＡＭ１１の第１記憶領域Ｍ１に記憶されている地図画像全体の画像データのうち、現在表示されている表示画像に該当する画像データ（第３記憶領域Ｍ３に記憶されている表示画像分の画像データ）を、ＶＲＡＭ１１の他の記憶領域（第５記憶領域Ｍ５）にコピーして記憶する。図６（ｂ）及び図７（ｂ）参照
続くステップ２３０では、第１記憶領域Ｍ１に記憶されている画像データを用いた画像表示から、第５記憶領域Ｍ５に記憶した画像データ（コピーデータ）を用いた画像表示に切り換える。
【００５４】
つまり、切換スイッチ１が押された後は、画像をスクロールする必要がないので、固定画像である第５記憶領域Ｍ５に記憶したコピーデータ及び第２記憶領域Ｍ２に記憶した（カーソルの）画像データを用いて、固定画像を表示する。図６（ｃ）参照。
【００５５】
続くステップ２４０では、ＶＲＡＭ１１の記憶領域のうち、現在の画像表示のために使用している第５記憶領域Ｍ５及び第２記憶領域Ｍ２以外の記憶領域（第１記憶領域Ｍ１）を開放し（クリアし）、他のデータを記憶できる様にする。図７（ｃ）参照。
【００５６】
続くステップ２５０では、切り換え後の画像である例えばブラウザ画像の画像データを、第６記憶領域Ｍ６及び第７記憶領域Ｍ７に記憶する。図７（ｄ）参照。
つまり、第６記憶領域Ｍ６には、スクロール可能な（ベースとなる）第１表示レイヤＨＬ１のブラウザ画像を表示する画像データが記憶され、第７記憶領域Ｍ７には、ベース画像に重ね合わされるタイトルなどを表示する固定画像の画像データが記憶されている。また、上述した地図画像と同様に、表示画面に該当する画像データは第８記憶領域Ｍ８に記憶され、表示画面の周囲に該当する画像データは第９記憶領域Ｍ９に記憶されている。
【００５７】
続くステップ２６０では、切り換え後の画像である例えばブラウザ画像に切り換える切換タイミングに到ったか否かを判定する。ここで肯定判断されるとステップ２７０に進み、一方否定判断されると一旦本処理を終了する。
ステップ２７０では、画面の切り換えタイミングであるので、次の画面である例えばブラウザ画像を表示する。
【００５８】
続くステップ２８０では、第５記憶領域Ｍ５のコピーデータを消去し、一旦本処理を終了する。図７（ｅ）参照。
本実施例では、コピーデータを用いた表示画像の作成の際に、カーソルを重ね合わせて表示画像を作成しており、そのため、前記実施例１よりは、多少メモリの使用量が多くなるが、それ以外は、前記実施例１と同様な効果を奏する。
【００５９】
（実施例３）
次に、実施例３について説明するが、前記実施例１と同様な箇所の説明は省略する。
ａ）本実施例は、２つの表示レイヤの画像を合成することにより作成された（表示画面分の）表示画像を、画面の切り換えの際にコピーし、そのコピーデータを用いて表示画像を表示するものである。
【００６０】
ここでは、図９（ａ）に示す様に、１層（即ち１つの第１表示レイヤＨＬ１）の画像上に、他の第２表示レイヤＨＬ２の画像を重ね合わせて（上書きにより合成して）表示する場合を例に挙げる。
尚、図９では、実線の枠内の図形が、ＶＲＡＭ１１に記憶された画像データに該当するものであり、例えば図９（ａ）では、矩形を示す（第２表示レイヤＨＬ２の）画像データの一部に、三角形や円形の図形の画像データが含まれる。従って、三角形や円形以外の枠内の画像データは、第１及び第２表示レイヤＨＬ１、ＨＬ２を合成した場合に表示されない透明な色彩を示す画像データである。
【００６１】
ｂ）図８のフローチャートに示す様に、ステップ３００にて、第１表示レイヤＨＬ１のベース画像と、第２表示レイヤＨＬ２の（三角及び丸の）図形画像を合成して、表示画面に表示画像を表示する。
つまり、図１０（ａ）に示す様に、ＶＲＡＭ１１の第１記憶領域Ｍ１には、第１表示レイヤＨＬ１の（ベース画像の）画像データが記憶されるとともに、第２記憶領域Ｍ２には、第２表示レイヤＨＬ２の（図形を含む）画像データが記憶されている。
【００６２】
従って、ここでは、図９（ａ）に示す様に、表示画面分のベース画像の上に、三角及び丸の図形を上書きした表示画像が、ディスプレイ５の表示画面に表示される。
続くステップ３１０では、現在の表示画面から、例えば（スクロールする）ブラウザ画面に変更するための切換スイッチ１が押された否かを判定する。ここで肯定判断されるとステップ３２０に進み、一方否定判断されると一旦本処理を終了する。
【００６３】
ステップ３２０では、ＶＲＡＭ１１の第１記憶領域Ｍ１及び第２記憶領域Ｍ２に記憶されている画像データのうち、現在表示されている表示画像に該当する画像データを、ＶＲＡＭ１１の他の記憶領域（第３記憶領域Ｍ３）にコピーして記憶する。図１０（ｂ）参照
続くステップ３３０では、第１記憶領域Ｍ１及び第２記憶領域Ｍ２に記憶されている画像データを用いた画像表示から、第３記憶領域Ｍ３に記憶した画像データ（コピーデータ）を用いた画像表示に切り換える。
【００６４】
つまり、切換スイッチ１が押された後は、単に現在の表示画像を保持すればよいので、固定画像である第３記憶領域Ｍ３に記憶したコピーデータを用いて、固定画像を表示する。図９（ｂ）参照。
続くステップ３４０では、ＶＲＡＭ１１の記憶領域のうち、現在の画像表示のために使用している第３記憶領域Ｍ３以外の記憶領域（第１及び第２記憶領域Ｍ１、Ｍ２）を開放し（クリアし）、他のデータを記憶できる様にする。図１０（ｃ）参照。
【００６５】
続くステップ３５０では、切り換え後の画像である例えばブラウザ画像の画像データを、前記実施例１、２と同様に、第４記憶領域Ｍ４及び第５記憶領域Ｍ５に記憶する。図１０（ｄ）参照。
続くステップ３６０では、切り換え後の画像である例えばブラウザ画像に切り換える切換タイミングに到ったか否かを判定する。ここで肯定判断されるとステップ３７０に進み、一方否定判断されると一旦本処理を終了する。
【００６６】
ステップ３７０では、画面の切り換えタイミングであるので、次の画面である例えばブラウザ画像を表示する。図９（ｃ）参照。
続くステップ３８０では、第３記憶領域Ｍ３のコピーデータを消去し、一旦本処理を終了する。図１０（ｅ）参照。
【００６７】
本実施例では、第１及び第２表示レイヤＨＬ１、ＨＬ２の画像データを用いて合成した表示画像をコピーし、次の画面に切り換えるまでは、そのコピーデータを用いた表示画像を表示画面に表示するとともに、コピーデータ以外の画像データを消去しているので、画面を切り換えるためのメモリが少なくて済み、前記実施例１、２と同様な効果を奏する。
【００６８】
（実施例４）
次に、実施例４について説明するが、前記実施例１と同様な箇所の説明は省略する。
ａ）本実施例は、８つの表示レイヤの画像を合成することにより作成された（表示画面分の）表示画像を、画面の切り換えの際にコピーし、そのコピーデータを用いて表示画像を表示するものであり、その際に、色彩を表示する規則を統一する。
【００６９】
尚、図１２では、実線の枠内の図形が、ＶＲＡＭ１１に記憶された画像データに該当するものであり、例えば図１２（ａ）では、矩形を示す（第３表示レイヤＨＬ３の）画像データの一部に、三角形の図形の画像データが含まれる。従って、三角形以外の枠内の画像データは、各表示レイヤＨＬ１〜ＨＬ８を合成した場合に表示されない透明な色彩を示す画像データである。ここでは、斜線及びドットで塗られた画像が（下から順に）順次上書きされて、表示画像が作成されるので、下になる画像が消えることがある。
【００７０】
ｂ）図１１のフローチャートに示す様に、ステップ４００にて、第１〜第８表示レイヤＨＬ１〜ＨＬ８の画像を重ね合わせて表示画像を作成し、その表示画像を表示画面に表示する。図１２（ａ）参照。
つまり、図１３（ａ）に示す様に、ＶＲＡＭ１１の第１〜第８記憶領域Ｍ１〜Ｍ８には、第１〜第８表示レイヤＨＬ１〜ＨＬ８の画像データが記憶されている。
【００７１】
従って、ここでは、図１２（ａ）に示す様に、第１〜第８表示レイヤＨＬ１〜ＨＬ８の画像を、順次上書きした（同図の上方の画像が残る）表示画像が、ディスプレイ５の表示画面に表示される。
続くステップ４１０では、現在の表示画面から、例えば（スクロールする）ブラウザ画面に変更するための切換スイッチ１が押された否かを判定する。ここで肯定判断されるとステップ４２０に進み、一方否定判断されると一旦本処理を終了する。
【００７２】
ステップ４２０では、ＶＲＡＭ１１の第１〜第８記憶領域Ｍ１〜Ｍ８に記憶されている画像データのうち、現在表示されている表示画像に該当する画像データの色彩のデータを変換するとともに、その変換データを含む画像データを、ＶＲＡＭ１１の他の記憶領域（第９記憶領域Ｍ９）にコピーして記憶する。図１２（ｂ）参照。
【００７３】
即ち、各表示レイヤの色彩が、上述したパレット番号やＲＧＢを示す記号で指定されている場合には、色彩を示すデータを統一するために、例えばＲＧＢのデータに変換する。尚、ＲＧＢを示すデータとは、周知の様に、Ｒ（赤）、Ｇ（緑）、Ｂ（青）の色の程度をそれぞれ１６ビットで指定するものである。
【００７４】
続くステップ４４０では、ＶＲＡＭ１１の記憶領域のうち、現在の画像表示のために使用している第９記憶領域Ｍ９以外の記憶領域（第１〜第８記憶領域Ｍ１〜Ｍ８）を開放し（クリアし）、他のデータを記憶できる様にする。図１３（ｃ）参照。
【００７５】
続くステップ４５０では、切り換え後の画像である例えばブラウザ画像の画像データを、前記実施例１〜３と同様に、第１０記憶領域Ｍ１０及び第１１記憶領域Ｍ１１に記憶する。図１３（ｄ）参照。
続くステップ４６０では、切り換え後の画像である例えばブラウザ画像に切り換える切換タイミングに到ったか否かを判定する。ここで肯定判断されるとステップ４７０に進み、一方否定判断されると一旦本処理を終了する。
【００７６】
ステップ４７０では、画面の切り換えタイミングであるので、次の画面である例えばブラウザ画像を表示する。図１２（ｃ）参照。
続くステップ４８０では、第９記憶領域Ｍ９のコピーデータを消去し、一旦本処理を終了する。図１３（ｅ）参照。
【００７７】
本実施例では、第１〜第８表示レイヤＨＬ１〜ＨＬ８の画像データを用いて合成した表示画像をコピーする際に、色彩の表示規則を統一する。そして、次の画面に切り換えるまでは、そのコピーデータを用いた表示画像を表示画面に表示するとともに、コピーデータ以外の画像データを消去しているので、画面を切り換えるためのメモリが少なくて済み、前記実施例１〜３と同様な効果を奏する。
【００７８】
また、画像データをコピーする際に、色彩を表示する規則をＲＧＢのデータに統一しているので、各表示レイヤＨＬ１〜ＨＬ８にいて、色彩を表示する規則が異なっている場合でもコピー画像を容易に形成することができるという利点がある。
【００７９】
尚、本発明は前記実施例になんら限定されるものではなく、本発明を逸脱しない範囲において種々の態様で実施しうることはいうまでもない。
【図面の簡単な説明】
【図１】  実施例１の表示制御装置の主要構成を示す説明図である。
【図２】  実施例１の表示制御装置の制御処理を示すフローチャートである。
【図３】  実施例１の表示制御装置の表示レイヤ等の構成を示す説明図である。
【図４】  実施例１の表示制御装置のＶＲＡＭのメモリ容量を示す説明図である。
【図５】  実施例２の表示制御装置の制御処理を示すフローチャートである。
【図６】  実施例２の表示制御装置の表示レイヤ等の構成を示す説明図である。
【図７】  実施例２の表示制御装置のＶＲＡＭのメモリ容量を示す説明図である。
【図８】  実施例３の表示制御装置の制御処理を示すフローチャートである。
【図９】  実施例３の表示制御装置の表示レイヤ等の構成を示す説明図である。
【図１０】  実施例３の表示制御装置のＶＲＡＭのメモリ容量を示す説明図である。
【図１１】  実施例４の表示制御装置の制御処理を示すフローチャートである。
【図１２】  実施例４の表示制御装置の表示レイヤ等の構成を示す説明図である。
【図１３】  実施例４の表示制御装置のＶＲＡＭのメモリ容量を示す説明図である。
【符号の説明】
本実施例の表示制御装置は、表示画面の切り換えを指示する
１…入力装置（切換スイッチ）
３…電子制御装置（ＥＣＵ）
５…出力装置（ディスプレイ）
７…ＣＰＵ
９…ＲＯＭ
１１…ＶＲＡＭ
１３…描画・表示部
【図１】
0004534328.tif 000003
【図２】
0004534328.tif 000004
【図３】
0004534328.tif 000005
【図４】
0004534328.tif 000006
【図５】
0004534328.tif 000007
【図６】
0004534328.tif 000008
【図７】
0004534328.tif 000009
【図８】
0004534328.tif 000010
【図９】
0004534328.tif 000011
【図１０】
0004534328.tif 000012
【図１１】
0004534328.tif 000013
【図１２】
0004534328.tif 000014
【図１３】
0004534328.tif 000015